(57)【要約】【課題】    本発明は、高齢虚弱者のトイレの出入りを容易にして、乗れる、トイレカ−を創り、トイレでトイレカ−に坐って排泄が出来る機器に関わる技術を課題とする。【解決手段】  トイレ室にトイレカ−を設置し、トイレ室の出入りに用便者を乗せて出入りが出来る座乗型の便座移動装置である。  用便者は廊下でトイレ室内で排泄するための準備をする、準備完了で移動便座に乗る、スイッチを押せばモ−タ−が駆動して、便座支持フレ−ムと共に移動便座がトイレ機器上に自動ストップをする、移動便座とトイレ機器の排泄口は上下同位置にあり、ここで排泄が出来る。  排泄が完了すれば再度スイッチを押して、元の廊下迄戻り、後始末をしてトイレカ−をトイレ室に戻しドアを締めれば完了。【選択図】    図１
0003116111.tif 000002
【実用新案登録請求の範囲】
【請求項１】
トイレ室（２）にはトイレ便器（１）が設置され、該トイレ便器（１）の上方側方に、該トイレ便器（１）の上方を覆う便器使用位置とトイレ便器（１）の上方を退避してトイレ室（２）外に至る便器非使用位置とに往復移動可能な移動便座（７）の便座移動支持装置（４）を設けたものにおいて、該便座移動支持装置（４）に前記移動便座（７）を設けるのに、該移動便座（７）は足乗せステップ部（３０）を付設した腰掛け便座部（２５）と該腰掛け便座部（２５）を支持する便座支持フレ−ム（８）とで一体構成すると共に、該便座支持フレ−ム（８）はトイレ室（２）の壁側に水平方向に固定された固定ガイド軸（１０）に摺動可能に吊設支持された構成になし、該便座移動支持装置（４）は人為的に往復移動が出来る往復移動操作機構により、トイレ室（２）に内装された状態で移動可能に設置されたことを特徴とする座乗型の便座移動装置。  
【請求項２】
トイレ便器（１）はトイレ室（２）を仕切る開閉ドア（５）の方向に向く縦向き状態に設置し、トイレ便器（１）の向きと開閉ドア（５）の位置が直線状に配置されている構造のトイレ室（２）を構成し、該トイレ便器（１）と開閉ドア（５）間のトイレ室（２）において便座移動支持装置（４）を往復移動が出来るように構成したことを特徴とする請求項１に記載の座乗型の便座移動装置。
【請求項３】
トイレ便器（１′）はトイレ室（２′）を仕切る開閉ドア（５′）の方向に対してＬ字方向に配置された横向き状態に設置し、トイレ機器（１′）の向きと開閉ドア（５′）の位置がＬ字状に配置されている構造のトイレ室（２′）に構成し、該トイレ便器（１′）と開閉ドア（５′）間のトイレ室（２′）において便座移動支持装置（４′）を往復移動が出来るように構成したことを特徴とする請求項１に記載の座乗型の便座移動装置。
【請求項４】
便座移動支持装置（４）、（４′）の移動を支える固定ガイド軸（１０）、（１０′）はトイレ室（２）、（２′）内に設置されて、該便座移動支持装置（４）、（４′）の便座支持フレ−ム（８）、（８′）をトイレ室（２）、（２′）内で移動出来るように、移動便座（７）の奥側に便座支持フレ−ム（８）、（８）を取り付け、該移動便座（７）をトイレ室（２）（２′）とトイレ室（２）、（２′）外に至る廊下（１１）の両方に移動が出来る構成にしたことを特徴とする請求項１若しくは請求項２，３に記載の座乗型の便座移動装置。
【請求項５】
便座移動支持装置（４）、（４′）の上方をトイレ室（２）、（２′）の壁側に水平方向に固定された固定ガイド軸（１０）、（１０′）に摺動可能に吊設支持された構成になし、該便座移動支持装置（４）、（４′）の下方は壁側に接当支持される構成にして、該便座移動支持装置（４）、（４′）で移動便座（７）を片持ち状態に宙吊り支持したことを特徴とする請求項１若しくは請求項２，３、４に記載の座乗型の便座移動装置。
【考案の詳細な説明】
【技術分野】
【０００１】
本考案は、高齢虚弱者のトイレの出入りを容易にして１人でもトイレに入れ、乗ってみたくなる様なトイレカ−を創ることで、トイレカ−は移動便座に坐って排泄が出来る機器
で、これに関わる高齢虚弱者が乗り降りが容易で１人でもトイレに入れるトイレカ−の技術分野である。
【背景技術】
【０００２】
高齢虚弱者のトイレに入れる体力的変化は大きく、体力の劣化経過から、まず１、自立で行けなくなればトイレに手すりを付けて手すりを握って１人で入る、２、次にこれが駄目になると老人施設などではトイレチェアに座って介助者が手伝う、在宅ではトイレ幅が８０ｃｍが標準、８０ｃｍであると介助者はトイレの中に入れない不具合が懸念される。更に在宅のトイレは段差があったり、障害物があったする。３、更にもう１つ虚弱性が進むと天井からリフトで吊って出入りをすることになる。これも当然介助者が必要であるが、在宅の８０ｃｍ幅トイレでは介助者がトイレに入れない。                  
在宅のトイレ幅が狭いことから、上記２、と３、の対応が出来ないこととなるのに、高齢虚弱者は１日のトイレ利用回数が多く介助者も非常に疲れる。在宅での高齢虚弱者のトイレ利用に適切な機器が必要である。                                                      
【０００３】
日本の要介護対象者は約４００万人、そのうちの５０％が要支援１、要支援２、要介護
１のランクに位置づけられており、要介助状態にならない為の努力が必要である。意に反して要介助状態になれば時間も費用もＵＰすることになる。時間も費用も掛けない方法はどうしたらよいか。ここにトイレカ−の必要性がある。
日本の和室のトイレ幅は８０ｃｍ、８０ｃｍ幅では介助者はトイレに入れない、介助者が入るための幅は現状より最低限５０ｃｍ拡幅が必要である。                          このためには大きな改造が必要となり、改造費は一般的に約１００万円以上で、更に敷地に限度があり、拡幅が出来ない在宅が多いのが実態と考えられるし、高齢者には費用負担的にも問題がある。
在宅介護が駄目なら施設に入ればよいが、老人施設は現状では満杯で、施設入りは２年待ちの状態と言われている。そこで楽しい在宅生活が望まれる。
【０００４】
介護保険では介護度は低い方から、要支援１、要支援２、要介護１、要介護２と進み、５までの７段階です、そこで要支援１、要支援２状態が悪化して、要介護１になる。要介護度が進まない様に本人の努力が必要ですが、良くなる人は少ない状況である。これは個人の介護予防の認識度が低いことと、適切なる対応機器がないことに原因があると思われる。そのためにも、在宅の中を歩いて生活が出来る本人の努力継続の推進を鼓舞し、トイレにも自力で行ける機器が必要である。そして、高齢虚弱者が、費用面も大きい負担にならず、自立生活が出来る環境作りが必要である。                                    
【０００５】
これらの背景技術の問題を解決せんとして、例えば特許文献１や特許文献２の技術が開示されている。しかしながら、特許文献１はＬ型トイレ配列に適応し、直線型トイレには適応できない、日本の和室トイレは、Ｌ型配列と直線型配列があり、Ｌ型だけでは汎用性に欠ける、Ｌ型トイレ配列でもトイレ室の外に完全に出して排泄の後始末をせねば、狭い所では完全に後始末が出来ない。
又、トイレ配列は千差万別で回転半径が全部違う、各在宅毎に現物合わせが必要となり、高コストが予測される。
特許文献２は必ず介助者が必要で、トイレ幅の狭い中で車椅子からの移乗は労力的に大きい力が必要で、介助は婦女子が多いので対応が出来ないことが予測される。
【特許文献１】特開平１０−１４６２９９  号公報
【特許文献２】特開２０００−３２５２６１号公報
【考案の開示】
【考案が解決しようとする課題】
【０００６】
高齢虚弱者のトイレに入れる体力的変化は、高齢化と共に虚弱性が進み、従来の和室のトイレには段差があったり、障害物があったりで簡単に出入りが出来ない、これでは介助者が必ず必要になる、介助者がいれば費用がかかる、自力で入れるトイレ機器が必要です。  
一般的には高齢虚弱者はトイレの出入が怖いと認識しています、これは自宅のトイレに障害物があるために恐怖感があり、これを除いてやらねばならない。
介助者をトイレに入れる為には拡幅工事が必要で高齢者には費用負担に問題がある。
高齢虚弱者が病院とか老人施設に入って、２ケ月位い入院生活をした後に退院をする、ほとんどの人が歩けなくなる、この原因は施設で車椅子に乗って移動をするために足が弱くなり、併せ自分も歩こうとする自立精神が弱くなる精で、高齢虚弱者でも歩くことが基本で乗り降りが容易で１人でもトイレに入れるトイレカ−が必要である。
日本のトイレはＬ型配列と直線型配列があり、Ｌ型だけでは汎用性に欠けるので、汎用性のある機器が必要。
トイレに出入り時、前後の始末を広い廊下でやれば介護者も本人も始末が楽で容易に出来る、トイレ機器は廊下まで出る構造が必要である。
【課題を解決するための手段】
【０００７】
トイレ室（２）にはトイレ便器（１）が設置され、該トイレ便器（１）の上方側方に、該トイレ便器（１）の上方を覆う便器使用位置とトイレ便器（１）の上方を退避してトイレ室（２）外に至る便器非使用位置とに往復移動可能な移動便座（７）の便座移動支持装置（４）を設けたものにおいて、該便座移動支持装置（４）に前記移動便座（７）を設けるのに、該移動便座（７）は足乗せステップ部（３０）を付設した腰掛け便座部（２５）と該腰掛け便座部（２５）を支持する便座支持フレ−ム（８）とで一体構成すると共に、該便座支持フレ−ム（８）はトイレ室（２）の壁側に水平方向に固定された固定ガイド軸（１０）に摺動可能に吊設支持された構成になし、該便座移動支持装置（４）は人為的に往復移動が出来る往復移動操作機構により、トイレ室（２）に内装された状態で移動可能に設置されたことを特徴とする座乗型の便座移動装置。  
【０００８】
トイレ便器（１）はトイレ室（２）を仕切る開閉ドア（５）の方向に向く縦向き状態に設置し、トイレ便器（１）の向きと開閉ドア（５）の位置が直線状に配置されている構造のトイレ室（２）に構成し、該トイレ便器（１）と開閉ドア（５）間のトイレ室（２）において便座移動支持装置（４）を往復移動が出来るように構成したことを特徴とする請求項１に記載の座乗型の便座移動装置。
【０００９】
トイレ便器（１′）はトイレ室（２′）を仕切る開閉ドア（５′）の方向に対してＬ字方向に配置された横向き状態に設置し、トイレ機器（１′）の向きと開閉ドア（５′）の位置がＬ字状に配置されている構造のトイレ室（２′）に構成し、該トイレ便器（１′）と開閉ドア（５′）間のトイレ室（２′）において便座移動支持装置（４′）を往復移動が出来るように構成したことを特徴とする請求項１に記載の座乗型の便座移動装置。
【００１０】
トイレ便器（１′）はトイレ室（２′）を仕切る開閉ドア（５′）の方向に対してＬ字方向に配置された横向き状態に設置し、トイレ機器（１′）の向きと開閉ドア（５′）の位置がＬ字状に配置されている構造のトイレ室（２′）に構成し、該トイレ便器（１′）と開閉ドア（５′）間のトイレ室（２′）において便座移動支持装置（４′）を往復移動が出来るように構成したことを特徴とする請求項１に記載の座乗型の便座移動装置。
【００１１】
便座移動支持装置（４）、（４′）の上方をトイレ室（２）、（２′）の壁側に水平方向に固定された固定ガイド軸（１０）、（１０′）に摺動可能に吊設支持された構成になし、該便座移動支持装置（４）、（４′）の下方は壁側に接当支持される構成にして、該便座移動支持装置（４）、（４′）で移動便座（７）を片持ち状態に宙吊り支持したことを特徴とする請求項１若しくは請求項２，３、４に記載の座乗型の便座移動装置。
【考案の効果】
【００１２】
請求項１の考案によれば、用便者はトイレカ−に乗ってトイレの出入りが出来る、トイレに入るための身支度と排泄後の始末は広い廊下で、広いところで前後始末が出来るので楽に容易、確実に出来る。高齢虚弱者もトイレカ−に乗ってトイレの出入りが出来るので、危険性もない。
危険性もないのでトイレの出入りも１人で出来る可能性も出てくる。                
移動便座（７）と便座支持フレ−ム（８）、（８′）の下部に加重を受ける車輪がなく、トイレ室（２）、（２′）の床面に凹凸があっても移動はスム−ス。又移動便座（７）と便座支持フレ−ム（８）（８′）は片持ちで構造が単純構成出来る。
よくベット脇にポ−タブルトイレを設置している人がある、臭いことと、目で見て非常に嫌なもので高齢虚弱者でも嫌がる、人間尊厳は何かと言えば、トイレに自分で出入りして、始末が自分で出来ることと言われている。トイレカ−だと出入りは自分で、又前後の始末も広いところなら自分でも出来る可能性もあり、人間の尊厳維持に最高である。
【００１３】
要支援１，２、クラスの人ならば自分でトイレへの出入りは出来る、こうなると介助者が不要となるので費用の大幅な削減と、更に２０２５年にヘルパ−が１３万人不足すると予測されている、これらが大幅に改善出来る。
【００１４】
用便者はトイレに入る時に乗り降りが容易で１人でもトイレに入れるトイレカ−があれば、寝床から一人で手すり等で歩いてトイレに行ける元気も出る、所謂介護予防でトイレカ−のために幸せが戻ってくる、乗って一人で出入りが出来、危険もなく、臭くもない、見た感じもよくなる。
【００１５】
請求項２、請求項３の考案によれば、日本の殆どのトイレにセットが出来るので、生産性の良い商品となるので価格も安価に提供が出来る。
更にトイレカ−は在来のトイレ幅でセットが出来るのでトイレ拡幅工事不要となり、ユ−ザ−には大変喜ばれる商品となる。
【００１６】
請求項２のトイレ構造はトイレ機器とドアが直線的に配置されているので機器装置が単純構成となる。
【００１７】
請求項３のトイレ構造はトイレ機器とドアがＬ型配置されているが本発明品を使用した機器装置は直線型と同様に単純構成になる。
【００１８】
請求項４はトイレに入るための身支度と排泄後の始末は広い廊下で、広いところで前後始末が出来るので楽に容易、確実に出来る。
【００１９】
請求項５によれば、移動便座（７）と便座支持フレ−ム（８）、（８′）の下部に加重を受ける車輪がなく、トイレ室（２）、（２′）の床面に凹凸があっても移動はスム−ス。又移動便座（７）と便座支持フレ−ム（８）（８′）は片持ちで構造が単純構成出来る。
【考案を実施するための最良の形態】
【００２０】
以下、本考案に係るトイレの出入りを容易にする座乗型の便座移動装置（本実用新案登録出願人においては、便宜上これをトイレカ−と呼称している。）の構成を図面に基づいて詳細に説明する。
図１は本考案の概略を示す外観図でトイレ便器（１）を設置したトイレ室（２）に用便者（３）を乗せて出入りが出来る便座移動支持装置（４）をトイレ室（２）に設置したことを示す斜視図である。
用便者（３）は廊下（１１）でトイレ室（２）、（２′）にて排泄するための準備をする、準備完了で移動便座（７）に付設した足乗せステップ部（３０）に足を乗せ、腰掛け便座部（２５）に腰掛けた状態で該移動便座（７）に乗る、移動便座（７）に付設したスイッチ（１３）を押せばモ−タ−（９）、（９′）が駆動して、便座支持取り付けフレ−ム（８）、（８′）と共に移動便座（７）がトイレ便器（１）、（１′）上で自動ストップをするように図外のリミットスイッチ等で設定されている。この時、移動便座（７）とトイレ便器（１）、（１′）の排泄口（１４）と排泄受口（２６）は上下同位置にあり、排泄口（１４）の口の形状はトイレ便器（１）の排泄受口（２６）の形状に合わせた形状にする。            
排泄が完了すれば再度スイッチ（１３）を押して、元の廊下（１１）迄戻り、用便者は移動便座（７）より降りて後始末をして後、スイッチ（１３）を操作して便座移動支持装置（４）、（４′）を移動させ移動便座（７）をトイレ室（２）、（２′）に戻しドア（５）、（５′）を締めれば完了となる。
【００２１】
即ち、トイレ室（２）、（２′）にはトイレ便器（１）、（１′）が設置され、該トイレ便器（１）、（１′）の上方側方に、該トイレ便器（１）、（１′）の上方を覆う便器使用位置とトイレ便器（１）、（１′）の上方を退避してトイレ室（２）、（２′）外に至る便器非使用位置とに往復移動可能な移動便座（７）の便座移動支持装置（４）、（４′）を設けたものにおいて、該便座移動支持装置（４）、（４′）に前記移動便座（７）を設けるのに、該移動便座（７）は足乗せステップ部（３０）を付設した腰掛け便座部（２５）と該腰掛け便座部（２５）を支持する便座支持フレ−ム（８）、（８′）とで一体構成すると共に、該便座支持フレ−ム（８）、（８′）はトイレ室（２）の壁側に水平方向に固定された固定ガイド軸（１０）、（１０′）に摺動可能に吊設支持された構成になし、該便座移動支持装置（４）、（４′）は人為的に往復移動が出来る往復移動操作機構により、トイレ室（２）、（２′）に内装された状態で移動可能に設置されたことを特徴とする座乗型の便座移動装置に構成されているものである。
【００２２】
便座移動支持装置（４）、（４′）の構成について説明する。足乗せステップ部（３０）を付設した腰掛け便座部（２５）は、上下方向に吊設される便座支持フレ−ム（８）、（８′）に片持ち状に固定され、便座支持フレ−ム（８）、（８′）はトイレ室（２）、（２′）の壁に固定されてる固定座（１６）、（１６′）に架設されている固定ガイド軸（１０）、（１０′）は水平方向に沿って前記固定座（１６）、（１６′）に架設状態に固定され、便座移動支持装置（４）、（４′）の全体が強度メンバ−となる柱（１５）に固着支持される頑強構成とされている。                                            便座移動支持装置（４）、（４′）を往復移動する伝導系統について説明をする。モ−タ−（９）、（９′）は、上下方向の駆動軸（１８）の上部に軸装され、水平方向のスプロケット（１９）を固定する。該スプロケット（１９）とチェン（１７）が?み合っている。
チェン（１７）は前記固定ガイド軸（１０）、（１０′）と平行にして固定座（１６）、（１６′）に固定される。
【００２３】
トイレ便器（１）、（１′）はタンク（２７）に排泄受口（２６）と排水口（２８）とで構成されトイレ室（２）、（２′）の床面に固定される。
便座移動支持装置（４）、（４′）の電動装置はスイッチ（１３）が押されるとモ−タ−（９）、（９′）が回転し、駆動軸（１８）が回転、駆動軸（１８）のスプロケット（１９）が回転する、スプロケット（１９）がチェン（１７）を回転させるので便座移動支持装置（４）、（４′）が移動をする。
【００２４】
図２、図３、図４は本考案の第１実施例を示す、直線型トイレ方式で、図５、図６、図７は本考案の第２実施例を示すＬ型配列トイレ方式である。図２、図３、図４の直線型トイレ方式はトイレ室（２）に便座移動支持装置（４）が設置され、トイレ室（２）はドア（５）で廊下（１１）と隔てられる、トイレ室（２）の中にはトイレ便器（１）が設置されている。                                      
便座移動支持装置（４）は未使用時はトイレ便器（１）に重合する（２１）の位置にあり、排泄完了後再度スイッチ（１３）を押して未使用時の位置（２１）に戻しておく。    図２、図３、図４の直線型配列トイレ方式は、トイレ室（２）の中央部にトイレ便器（１）が設置され、矢印（６）の方向にドア（５）がある、便座移動支持装置（４） は矢印（３３）方向に往復移動をする。
【００２５】
即ち、トイレ便器（１）はトイレ室（２）を仕切る開閉ドア（５）の方向に向く縦向き状態に設置し、トイレ便器（１）の向きと開閉ドア（５）の位置が直線状に配置されている構造のトイレ室（２）に構成し、該トイレ便器（１）と開閉ドア（５）間のトイレ室（２）において便座移動支持装置（４）を往復移動が出来るように構成されているものである。
図５、図６、図７に示す本考案の第２実施例であるＬ型配列トイレ方式は、トイレ室（２′）の中央部にトイレ便器（１′）が設置され、トイレ便器（１′）の１２〜１２の直角方向の矢印（６′）方向にドア（５′）がある、便座移動支持装置 （４′）は矢印（３１）方向に往復移動をする。
即ち、トイレ便器（１′）はトイレ室（２′）を仕切る開閉ドア（５′）の方向に対してＬ字方向に配置された横向き状態に設置し、トイレ便器（１′）の向きと開閉ドア（５′）の位置がＬ字状に配置されている構造のトイレ室（２′）を構成し、該トイレ便器（１′）と開閉ドア（５′）間のトイレ室（２′）において便座移動支持装置（４′）を往復移動が出来るように構成されているものである。                                  
【００２６】
また、便座移動支持装置（４）、（４′）の移動を支える固定ガイド軸（１０）、（１０′）はトイレ室（２）、（２′）内に設置されて、該便座移動支持装置（４）、（４′）の便座支持フレ−ム（８）、（８′）をトイレ室（２）、（２′）内で移動出来るように、移動便座（７）の奥側に便座支持フレ−ム（８）、（８）を取り付け、該移動便座（７）をトイレ室（２）（２′）とトイレ室（２）、（２′）外に至る廊下（１１）の両方に移動が出来る構成にされているものである。                                      
更に、便座移動支持装置（４）、（４′）の上方をトイレ室（２）、（２′）の壁側に水平方向に固定された固定ガイド軸（１０）、（１０′）に摺動可能に吊設支持された構成になし、該便座移動支持装置（４）、（４′）の下方は壁側に転動ロ−ラ−（３２）で接当支持される構成にして、該便座移動支持装置（４）、（４′）で移動便座（７）を片持ち状態に宙吊り支持した構成にされて便座移動支持装置（４）、（４′）を安定状態に支持しているものである。                                                        
【産業上の利用可能性】
【００２７】
本発明のトイレカ−を在宅の直線配列とＬ型配列のトイレにセットが可能で、日本の大部分の在宅が対象となり、更に施設等でも充分使用可能、対象台数が多く望める。
【図面の簡単な説明】
【００２８】
【図１】本発明の外観を示す斜視図である。
【図２】本発明の第１実施例を示す平面図である。
【図３】本発明の第１実施例を示す正面図である。
【図４】本発明の第１実施例を示す側面図である。
【図５】本発明の第２実施例を示す平面図である
【図６】本発明の第２実施例を示す正面図である。
【図７】本発明の第２実施例を示す側面図である。
【図８】本発明の伝動図である。
【図９】本発明の伝動図である。
【図１０】本発明の伝動図である。
【符号の説明】
【００２９】
１、トイレ便器  
２、トイレ室    
３、用便者                                                              
４、便座移動支持装置
７、移動便座       
【図１】
0003116111.tif 000003
【図２】
0003116111.tif 000004
【図３】
0003116111.tif 000005
【図４】
0003116111.tif 000006
【図５】
0003116111.tif 000007
【図６】
0003116111.tif 000008
【図７】
0003116111.tif 000009
【図８】
0003116111.tif 000010
【図９】
0003116111.tif 000011
【図１０】
0003116111.tif 000012